【事件の表示】
　特許第３２６７２８３号「電子カメラ」の請求項１、２に係る特許に対する特許異議の申立てについて、次のとおり決定する。
【結　論】
　訂正を認める。
　特許第３２６７２８３号の請求項１及び２に係る特許を取り消す。
【理　由】
第１　手続きの経緯
　特許第３２６７２８３号の請求項１及び２に係る発明についての出願は、昭和６１年１月２８日に特許出願された特願昭６１−１４８３７号の一部を、平成７年３月２７日に新たな特許出願とした特願平７−９３０３５号を、平成１０年９月１１日に新たな特許出願とした特願平１０−２５８５２４号を、平成１１年１２月２７日に新たな特許出願としたものであって、平成１４年１月１１日にその特許権の設定登録がなされたものである。
　その後、富岡康之から特許異議の申し立てがなされ、取消しの理由が通知され、その指定期間内である平成１５年１月２７日に訂正請求がなされたものである。
　　
第２　訂正の適否についての判断
１．訂正の内容
（１）訂正事項１
　特許請求の範囲の請求項１において、「前記指示手段による指示の無い状態では前記撮像手段から出力された前記画像信号を前記表示手段に表示させ、前記指示手段による指示に応じて前記撮像手段から出力された画像信号を前記半導体メモリへ記憶させた後に該半導体メモリに記憶された前記画像信号を前記記録媒体に記録させるよう制御する制御手段と、」とあるのを、「少なくとも前記撮像手段および前記表示手段に駆動電力を供給する電源スイッチと、
　前記電源スイッチのオン動作から前記指示手段による指示が行われるまでの期間は前記撮像手段から出力された前記画像信号を前記表示手段に表示させ、前記指示手段による指示に応じて前記切換手段の切り換え状態に基づく前記連写モードもしくは前記単写モードの撮影を行い、前記撮像手段から出力された画像信号を前記半導体メモリへ記憶させた後に該半導体メモリに記憶された前記画像信号を前記記録媒体に記録させるよう制御する制御手段と、」と訂正する。
　
（２）訂正事項２
　明細書中第２頁左欄第３６行から同４１行において、「前記指示手段による指示の無い状態では前記撮像手段から出力された前記画像信号を前記表示手段に表示させ、前記指示手段による指示に応じて前記撮像手段から出力された画像信号を前記半導体メモリへ記憶させた後に該半導体メモリに記憶された前記画像信号を前記記録媒体に記録させるよう制御する制御手段と」を「少なくとも前記撮像手段および前記表示手段に駆動電力を供給する電源スイッチと、前記電源スイッチのオン動作から前記指示手段による指示が行われるまでの期間は前記撮像手段から出力された前記画像信号を前記表示手段に表示させ、前記指示手段による指示に応じて前記切換手段の切り換え状態に基づく前記連写モードもしくは前記単写モードの撮影を行い、前記撮像手段から出力された画像信号を前記半導体メモリへ記憶させた後に該半導体メモリに記憶された前記画像信号を前記記録媒体に記録させるよう制御する制御手段と」と訂正する。
　
（３）訂正事項３
　明細書中第３頁右欄第４９行から第４頁左欄第６行において、「【発明の効果】以上のように本発明においては、指示手段による指示のない状態では撮像手段から出力された画像信号を表示させるので画像信号をすばやく表示できるとともに、指示手段による指示に応じて撮像手段から出力された画像信号を半導体メモリへ記憶させた後に半導体メモリに記憶された画像信号を記録媒体に記録させるよう制御するので、確実な画像確認が可能となる。」を「【発明の効果】以上のように本発明においては、電源スイッチのオン動作から指示手段による指示が行われるまでの期間は撮像手段から出力された画像信号を表示手段に表示させるので電源のオンに応じて画像信号をすもまやく表示できるとともに、指示手段による指示に応じて切換手段の切り換え状態に基づく連写モードもしくは単写モードの撮影を行い撮像手段から出力された画像信号を半導体メモリへ記憶させた後に半導体メモリに記憶された画像信号を記録媒体に記録させるよう制御するので、確実な画像確認が可能となる。」と訂正する。
　　
２．訂正の目的の適否、新規事項の有無及び特許請求の範囲の拡張・変更の存否
（１）訂正事項１は、特許明細書の特許請求の範囲に記載されていた「指示手段による指示のない状態」を具体的に限定し、また、「単写、連写モード」の構成を更に限定しようとするものであり、この訂正は、特許請求の範囲の減縮を目的とするものである。
　また、上記訂正事項１は、特許明細書３頁左欄２行ないし１８行、同３頁右欄２３行ないし３３行及び図２に記載されていたもので、願書に添付した明細書又は図面に記載した事項の範囲内の訂正であり、実質上特許請求の範囲を拡張し又は変更するものでもない。
　
（２）訂正事項２及び３は、特許請求の範囲と発明の詳細な説明の記載を整合するためのものであり、特許法第１２０条の４第２項ただし書き第３号に規定する不明りょうな記載の釈明に相当する。
　当該訂正事項は、願書に添付した明細書及び図面に記載した事項の範囲内の訂正であり、また、特許請求の範囲を拡張し又は変更するものでもない。
　
３むすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項において準用する平成６年法律第１１６号による改正前の特許法第１２６条第１項ただし書、第２項及び第３項の規定に適合するので、当該訂正を認める。
　
第３　特許異議申立について
１　申立ての理由の概要
　特許異議申立人富岡康之は、請求項１及び２に係る発明は、甲第１号証（特開昭５７−７８２８５号公報）、甲第２号証（特開昭５９−３３９８２号公報、甲第３号証（特開昭５８−１４７２８３号公報）、甲第４号証（特開昭６０―２１７７７１号公報）及び甲第５号証（特開昭５９−６４９８４号公報）を基に当業者が容易に発明することができたものであり、特許法２９条２項の規定により、特許を受けることができないものであるから、特許を取り消すべきと主張している。
　
２　本件発明
　上記第２の項で示したように上記訂正が認められるから、本件の請求項１及び２に係る発明（以下、「本件発明１」及び「本件発明２」という。）は、上記訂正請求に係る訂正明細書の特許請求の範囲の請求項１及び２に記載された事項により特定される次のとおりのものである。
　
「【請求項１】
　被写体を撮像し、画像信号として出力する撮像手段と、
　複数画面分の前記画像信号を一時的に記憶可能な半導体メモリと、
　前記画像信号を記録する記録媒体と、
　前記記録媒体への画像信号の記録を指示する指示手段と、
　前記指示手段による操作がなされている間、前記撮像手段から出力される静止画像信号を連続して記録する連写モードと、前記指示手段による操作がなされる毎に前記撮像手段から出力される単一の静止画像信号を記録する単写モードとを切り換える切換手段と、
　前記画像信号を表示する表示手段と、
　少なくとも前記撮像手段および前記表示手段に駆動電力を供給する電源スイッチと、
　前記電源スイッチのオン動作から前記指示手段による指示が行われるまでの期間は前記撮像手段から出力された前記画像信号を前記表示手段に表示させ、前記指示手段による指示に応じて前記切換手段の切り換え状態に基づく前記連写モードもしくは前記単写モードの撮影を行い、前記撮像手段から出力された画像信号を前記半導体メモリへ記憶させた後に該半導体メモリに記憶された前記画像信号を前記記録媒体に記録させるよう制御する制御手段と、
　を有することを特徴とする電子カメラ。
【請求項２】
　前記制御手段は、前記指示手段による指示に応じて前記半導体メモリに記憶された前記画像信号を前記記録媒体に記録させるともに前記表示手段へ表示させるよう制御することを特徴とする請求項１に記載の電子カメラ。」
　
３　取消し理由の概要
　特許異議申立人が証拠として提示した刊行物に基づき当審での取消し理由の概要は次のとおりである。
　本件発明１及び２は、刊行物１（特開昭６０―２１７７７１号公報（特許異議申立人が提出した甲第４号証、以下同じ））、刊行物２（特開昭５８―１４７２８３号公報（甲第３号証））及び刊行物３（特開昭５９―３３９８２号公報（甲第２号証））記載の発明に基づいて当業者が容易に発明をすることができたものであるから特許法第２９条第２項の規定により特許を受けることができないというものである。
　
４　刊行物記載の発明
　本件発明１と同一技術分野に属する電子カメラに関する刊行物１には、次の事項が記載されている。
　
（１）「第１図において、入力端子１へは、例えば図示していないＴＶ（テレビジョン）カメラあるいはそれとおおむね同様の機能を有する電子カメラ等のごとく内視鏡像を撮像し被検者の体内像を得る撮像手段から出力される画像信号として、この場合ＮＴＳＣ方式等によるいわゆるビデオ信号が入力される。レリーズスイッチ２は画像記録を指示するスイッチ、確認スイッチ３は記録画像の確認を入力するスイッチであり」（公報２頁右上欄４行ないし１２行）
　
（２）「フレームメモリ９は（少なくとも）１フレーム分の画像データを格納し得るメモリであり」（公報２頁左下欄３行ないし４行）
　
（３）「モニタ１１は画像を表示する例えばＣＲＴ（陰極線管）等を用いた表示器であり、出力端子１２は記録媒体への画像記録を行なう図示していない画像記録装置へビデオ信号を供給する端子である。」（公報２頁左下欄１４行ないし１７行）
　
（４）「」レリーズスイッチ２および確認スイッチ３が共に押されて（オン操作されて）いないときは、フレームメモリ９にはビデオ信号は入力されない。モニタ１１にはカメラからのリアルタイム像が再生され、フレームメモリ９からの読出し出力は再生されない。レリーズスイッチ２がオン操作されると、フレームメモリ９に１フレーム分のビデオ信号が入力される。該フレームメモリ９への書込みが完了した後は、フレームメモリ９に記憶された画像がモニタ１１に出力表示される。この出力に基づいて、フレームメモリ９から１フレーム分のビデオ信号が出力端子１２より画像記録装置へ送出され、記録媒体、例えば磁気ディスクの所定のトラックに最終的に記録される。」（公報３頁右上欄１５行ないし４頁左上欄１０行参照）
　
　また、同じく本件発明１と同一技術分野に属する電子カメラに関する刊行物２には、次の事項が記載されている。
（５）高速度撮像装置に関し「このメモリ部５は撮像カメラ１による映像の毎秒のフレーム数（コマ数）と書込み時間（記録時間）の積に相当するメモリ容量を有し」（公報２頁左下欄２０行ないし右上欄２行）
　
　さらに、同じく本件発明１と同一技術分野に属する電子カメラに関する刊行物３には、次の事項が記載されている。
（６）第３図、第５図の波形図の説明として、「シャッター１０を押したパルスａでモーター制御回路１２をスタートさせる。光学シャッター開閉後に１フレーム抜取りパルスで信号を抜取り磁気ディスクに記録する。
シャッターを押した状態で連写する場合のタイミングの例を第５図に示す。シャッター１０を押した１枚目の撮像は第３図と同じ動作を行なう。次に１フレーム分の信号を抜取り磁気ディスクに記録する。この記録が完了したことを検出し、これから再び光学シャッターの開閉、１フレーム抜取り、記録の動作を繰り返す。但し、この動作はａ’がＯＮの状態だけに制限し、もしａ’がＯＦＦの場合にはこれを停止させる。」（公報２頁右下欄９行ないし３頁左下欄１５行参照）
　
５　対比・判断
（１）本件発明１について
　本件発明１と刊行物１記載の発明を対比する。
　刊行物１記載の発明は、画像情報の失敗のない確実な記録を可能とする画像記録装置に関するもので、本件発明１の電子カメラと同じ技術分野に属する。
　そして、刊行物１記載のフレームメモリが一般に半導体メモリであることは、当業者に自明の事項であり、また、刊行物１のレリーズスイッチが本件発明の指示手段に相当することも明らかである。
そうすると、両者は次の点で一致している。
「被写体を撮像し、画像信号として出力する撮像手段と、前記画像信号を一時的に記憶可能な半導体メモリと、前記画像信号を記録する記録媒体と、前記記録媒体への画像信号の記録を指示する指示手段と、前記画像信号を表示する表示手段と、前記指示手段による指示の無い状態では前記撮像手段から出力された前記画像信号を前記表示手段に表示させ、前記指示手段による指示に応じて前記撮像手段から出力された画像信号を前記半導体メモリへ記憶させた後に該半導体メモリに記憶された前記画像信号を前記記録媒体に記録させるよう制御する制御手段と、を有することを特徴とする電子カメラ。」
　
　そして、次の点で相違が認められる。
相違点１：本件発明１では、撮像手段および表示手段に駆動電力を供給する電源スイッチを備え、電源スイッチのオン動作から指示手段による指示が行われるまでの期間は撮像手段から出力された画像信号を表示手段に表示させているのに対し、刊行物１では、撮像手段および表示手段に駆動電力を供給する電源スイッチが明示されておらず、電源スイッチのオン動作から指示手段による指示が行われるまでの期間の具体的タイミングが明示されていない点。
　
相違点２：本件発明１では、半導体メモリが複数画面分の画像信号を記憶可能であるのに対し、刊行物１記載の発明では、少なくとも１フレーム分の画像データを格納し得ると表現されている点。
　
相違点３：本件発明１では、連写モードと単写モードとを切り換える切換手段を有するのに対し、刊行物１記載の発明では、該手段について記載がない点。
　
そこで、上記各相違点について検討する。
相違点１について：
　刊行物１の電子カメラを始め、すべての電子機器がエネルギー源として電源を必要とすることは言うまでもないことであり、電源の投入により電子機器は、動作状態又は待機状態に移行することは一般的な技術常識に属する事項である。
　刊行物１には、電源に関する記載はないが、前記４（１）で摘記したように第１図の入力端子１へは、電子カメラ等の撮像手段から出力される画像信号としてビデオ信号が入力されると記載されており、当然に電源を必要とするものであるから、図示又は説明がないからといって、電源を意図していないとは言えない。
　本件発明の明細書においても、第３頁左欄２ないし７行には、「図示しない電源スイッチが「ＯＮ」となると…」と記載されているように、電源スイッチ自体を図示しないことは、電源スイッチ自体に創意工夫がある場合や特に説明の必要がある場合を除き、一般には省略することが通常である。
　そうすると、刊行物１において、電源スイッチの図示や説明がなくても、「電源スイッチが「ＯＮ」となると入力端子１へビデオ信号が入力される」と解釈することに、明細書全体を通じてなんら矛盾することも、またこのように解釈することを阻害する要因があるともいえない。
　よって、リアルタイム像を表示する開始タイミングが具体的に記載されていなくても、当業者であれば、技術常識から何ら困難なく開始タイミングを把握できるものであり、当該相違点を格別なものとすることはできない。
　
相違点２について：半導体メモリが複数画面分の画像信号を記憶可能である構成は、刊行物１の発明が「少なくとも」と括弧書きではあるが記載されていることからみて、また、刊行物２にも記載されているように当業者に周知な技術であり、複数画面分の画像信号を記憶可能な構成とすることは、当業者が適宜採用しうる設計事項にすぎない。
　
相違点３について：電子カメラにおいて連写モードと単写モードとを備え、両者を切り換える切換手段を有する構成は、前記刊行物３に記載されており、当該技術を刊行物３に示された形式と異なる電子カメラに採用することは当業者が格別困難性を伴うとは認められない。。
　本件発明１では、単写モードと連写モードの切換を行う具体的な手段については、ただ、「指示手段による指示に応じて前記切換手段の切り換え状態に基づく前記連写モードもしくは前記単写モードの撮影を行い」と記載されているのみで、切換手段が具体的に記載されておらず、刊行物１記載の発明において、刊行物３に示された連写モードと単写モードの切換手段を採用することは、当業者が必要に応じ適宜実施しうる事項にすぎない。
　
　そして、画像信号を一時的に半導体メモリに記憶した上で磁気ディスクに記録する装置において、磁気ディスクへの記録が成功しない場合には、再度半導体メモリの画像信号を磁気ディスクに記録しようとすることは当然のことであり、外乱に弱い磁気ディスクに対して品質よく画像を記録するという本件発明１の課題は当業者に自明なものである。
　また、本件発明１の効果は、刊行物１記載の発明に基づいて、刊行物２、３を参酌することにより、当業者が当然に予測し得るものであって格別のものとすることはできない。
　したがって、本件発明１は、刊行物１ないし３記載の発明に基づいて当業者が容易に発明をすることができたものである。
　
（２）本件発明２について
　本件発明２は、請求項１に係る発明を引用する形式であり、請求項１に係る発明の部分を除いて、刊行物１記載の発明とを対比すると、前記３（４）の記載から両者は次の点で一致している。
「指示手段による指示に応じて半導体メモリに記憶された画像信号を記録媒体に記録させるともに表示手段へ表示させる」
そして、両者は請求項１についての対比で挙げた点のみで相違し、当該相違点は既に検討済みである。
したがって、本件発明２は、刊行物１ないし３記載の発明に基づいて当業者が容易に発明をすることができたものである。
　
５　むすび
　以上のとおりであるから、本件発明１及び２は、その出願日前に頒布された刊行物１ないし３に記載された発明に基づいて当業者が容易に発明をすることができたものであるから、特許法第２９条第２項の規定に違反してされたものである。
　したがって、訂正明細書の請求項１ないし２に係る発明の特許は、特許法第１１３条第２号に該当し、取り消されるべきものである。
　　
　よって、結論のとおり決定する。
【異議決定日】
平成１５年２月１０日（２００３．２．１０）
【訂正の要旨】
審決（決定）の【理由】欄参照。
（５４）【発明の名称】
電子カメラ
（５７）【特許請求の範囲】
　【請求項１】
　被写体を撮像し、画像信号として出力する撮像手段と、
　複数画面分の前記画像信号を一時的に記憶可能な半導体メモリと、
　前記画像信号を記録する記録媒体と、
　前記記録媒体への画像信号の記録を指示する指示手段と、
　前記指示手段による操作がなされている間、前記撮像手段から出力される静止画像信号を連続して記録する連写モードと、前記指示手段による操作がなされる毎に前記撮像手段から出力される単一の静止画像信号を記録する単写モードとを切り換える切換手段と、
　前記画像信号を表示する表示手段と、
　少なくとも前記撮像手段および前記表示手段に駆動電力を供給する電源スイッチと、
　前記電源スイッチのオン動作から前記指示手段による指示が行われるまでの期間は前記撮像手段から出力された前記画像信号を前記表示手段に表示させ、前記指示手段による指示に応じて前記切換手段の切り換え状態に基づく前記連写モードもしくは前記単写モードの撮影を行い、前記撮像手段から出力された画像信号を前記半導体メモリへ記憶させた後に該半導体メモリに記憶された前記画像信号を前記記録媒体に記録させるよう制御する制御手段と、
　を有することを特徴とする電子カメラ。
　【請求項２】
　前記制御手段は、前記指示手段による指示に応じて前記半導体メモリに記憶された前記画像信号を前記記録媒体に記録させるともに前記表示手段へ表示させるよう制御することを特徴とする請求項１に記載の電子カメラ。
【発明の詳細な説明】
　【０００１】
　【発明の属する技術分野】本発明は、画像情報を記録媒体に記録する電子カメラに関するものである。
　【０００２】
　【従来の技術】電子カメラの記録媒体としては、一般に磁気ディスクが用いられている。そしてこの磁気ディスクに撮影した静止画を記録するときには、磁気ディスクを機械的に回転させている。
　【０００３】
　【発明が解決しようとする課題】しかしながら、カメラ本体に何らかの原因で振動や衝撃などの外乱が加えられるような撮影条件下においては、磁気ディスクの回転がかかる外乱によって影響され、品質のよい画像記録の前提となる磁気ディスクの定速回転が保証されない場合が生ずるという不都合がある。
　【０００４】かかる不都合を改善するものとしては、特願昭５７−６９４９９号に開示されるものがある。これは、外乱による磁気ディスクの定速回転からのずれを検出し、撮影者にその旨の警告を与えるものである。
　しかし、この手段は、不都合を根本的に解決するものではなく、撮像素子に蓄積された画像が無駄になるという問題点を残している。
　【０００５】本発明は、かかる点に鑑みてなされたものであり、外乱に弱いものの安価で大容量の記録媒体である磁気ディスクのような記録媒体に対して、撮影した画像の情報を品質よく良好に記録することができる記録装置を提供することをその目的とするものである。
　【０００６】
　【課題を解決するための手段】
　本発明は、被写体を撮像し、画像信号として出力する撮像手段と、複数画面分の前記画像信号を一時的に記憶可能な半導体メモリと、前記画像信号を記録する記録媒体と、前記記録媒体への画像信号の記録を指示する指示手段と、前記指示手段による操作がなされている間、前記撮像手段から出力される静止画像信号を連続して記録する連写モードと、少なくとも前記撮像手段および前記表示手段に駆動電力を供給する電源スイッチと、前記電源スイッチのオン動作から前記指示手段による指示が行われるまでの期間は前記撮像手段から出力された前記画像信号を前記表示手段に表示させ、前記指示手段による指示に応じて前記切換手段の切り換え状態に基づく前記連写モードもしくは前記単写モードの撮影を行い、前記撮像手段から出力された画像信号を前記半導体メモリへ記憶させた後に該半導体メモリに記憶された前記画像信号を前記記録媒体に記録させるよう制御する制御手段とを有することを特徴とした。
　【０００７】
　【発明の実施の形態】以下、添付図面を参照しながら、本発明の実施の形態について説明する。図１には、本発明の一実施形態が示されている。この図において、例えばＣＣＤのような撮像素子から成る撮像部１０には、駆動回路１２が接続されており、これによって撮像部１０の駆動が行なわれるようになっている。例えば、駆動回路１２には、水晶振動子が含まれており、これによる安定した周波数の信号に基づいてＮＴＳＣ方式のような標準テレビジョン信号のフォーマットで撮像部１０の駆動が行なわれるようになっている。
　【０００８】次に撮像部１０の出力側には、信号増幅を行なって所定のレベルとするアンプ１４を介してＡ／Ｄ変換器１６の入力側及び２入力のアナログスイッチ１８の一方の入力側１８Ａが各々接続されている。そして、Ａ／Ｄ変換器１６の出力側には、フレームメモリ２０の入力側が接続されている。このフレームメモリ２０は、少なくとも静止画１コマ分の記憶容量を有している。
　【０００９】フレームメモリ２０の出力側は、Ｄ／Ａ変換器２２を介してアナログスイッチ１８の他方の入力側１８Ｂに接続されている。すなわち、撮像部１０から出力された画像情報はＡ／Ｄ変換器１６によってディジタル信号に変換されてフレームメモリ２０に格納され、更にはフレームメモリ２０から読み出された後、Ｄ／Ａ変換器２２によりアナログ信号に変換され、この再生画像情報がアナログスイッチ１８に出力されるようになっている。このアナログスイッチ１８には、撮像部１０から出力された画像情報も入力されており、いずれかが選択されて出力される。
　【００１０】次に、アナログスイッチ１８の出力側は、信号処理回路２４を介して記録装置２６に接続されている。これらのうち、信号処理回路２４は、入力れされた画像情報の色信号処理やγ補正が行なわれるもので、必要に応じて電子ビューファインダー（Ｅ．Ｖ．Ｆ．）が接続される。この場合には、撮影中に、アナログスイッチ１８を介して撮像部１０の出力信号が処理された輝度信号もしくは複合カラー信号が電子ビューファインダーに入力され、これによって撮影画像が視認できるようになっている。なお、撮像部１０が単板カラー撮像素子の場合には、信号処理回路２４で色分離の処理が行なわれ、輝度信号及び色信号が得られ、容易に複合カラー信号が得られる。
　【００１１】次に、記録装置２６は、例えば磁気ディスクのような大容量で安価ではあるものの外乱に弱い記録媒体に対して記録を行うものである。
　前述した駆動回路１２、アナログスイッチ１８、フレームメモリ２０、信号処理回路２４及び記録装置２６には、制御回路２８が接続されている。この制御回路２８には、レリーズスイッチ３０、連写単写切替スイッチ３２、及び画像確認スイッチ３４が各々接続されており、これらのスイッチのＯＮ，ＯＦＦ状態に対応して駆動回路１２から入力されるクロック信号及び同期信号に基づき各部に必要なタイミング信号を出力し、動作の制御が行なわれるようになっている。前記記録装置２６はディスクドライブ装置を含み、ディスクドライブ装置からのＦＧ信号（ディスクの回転に応じた間隔のパルス列信号）が検出装置４０に入力されている。
　【００１２】次に、上記実施形態の全体的動作について説明する。まず、単写モードの場合について説明する。まず、図示しない電源スイッチが「ＯＮ」となると、図２（Ａ）に示すように、アナログスイッチ１８の入力側１８Ａが出力側に接続され、撮像部１０の出力信号が信号処理回路２４を介して矢印ＦＡの如く電子ビューファインダーに出力され、撮像部１０で撮影されている画像が電子ビューファインダーに表示される。
　【００１３】次に、構図が定まってシャッターチャンスでレリーズスイッチ３０が押され「ＯＮ」となると、図２（Ｂ）の矢印ＦＢで示すように、制御回路２８による制御によって撮像部１０の出力である画像信号がＡ／Ｄ変換器１６でディジタル化されてフレームメモリ２０に格納される。そして、該格納後、直ちに再生され、アナログスイッチ１８の入力側１８Ｂが出力側に接続されて、フレームメモリ２０に格納された画像情報による画像が電子ビューファインダーに静止画として再生される。同時にかかる再生画像情報は記録装置２６にも出力され、その記録が開始される。
　【００１４】かかる記録動作中に外乱が発生し、ＦＧ信号のパルス間隔が記録に悪影響を及ぼす程度に乱れた場合検出装置４０によってこれを検出し記録不成功の信号が制御回路２８へ出力されて、該制御回路２８の制御により再度同一トラックに画像情報の記録が行なわれる。再記録の前には通常前の記録の消去が行なわれる。この記録の繰り返しは一定時間の範囲で複数回行なわれ、この間に外乱の影響を受けることなく記録できない場合には、例えば図示しない警告手段によりその旨の警告を行なう様にすれば撮影者は、装置全体をより外乱の少ない状態の実現に努力すべきことを知り得る。
　【００１５】通常は、記録装置２６による記録媒体に対する画像情報の書込みがほとんど良好に行なわれ、記録完了後は、図２（Ａ）に示す状態となる。なお、図２（Ａ）に示す状態において、画像確認スイッチ３４が「ＯＮ」に操作されると、制御回路２８による制御により、図３（Ａ）に示すようにアナログスイッチ１８の入力側１８Ｂが出力側に接続され、先に撮影されたフレームメモリ２０内の画像が、画像確認スイッチ３４が「ＯＮ」の間だけ矢印ＦＣの如く電子ビューファインダーに出力され、表示される。このときは、記録装置２６による記録媒体に対する記録はすでに終了しているので行なわれない。
　【００１６】更にかかる場合において、記録装置２６に再生機能がある場合には、記録完了後画像確認スイッチ３４が「ＯＮ」とされたときに、記録媒体内の画像を図３（Ｂ）の矢印ＦＤに示すように電子ビューファインダーに再生表示するようにすれば、良好に記録が行なわれたか否かを確認することができると共に検出装置４０を前述と異なる構成とする事ができる。即ち記録装置２６による記録媒体への記録完了後直ちに再生して、再生信号の良否を検出装置４０で検出し、判断するように構成する事が出来る。この場合は何回やっても記録が成功しない場合はディスクの欠陥が考えられるので一定回数を超えたら記録ヘッドを移行する手段を備えると良い。
　【００１７】次に、連写モードの場合について説明する。この場合には、連写単写切替スイッチ３２が「ＯＮ」に操作され、レリーズスイッチ３０の押下により連写撮影が開始される。すなわち、レリーズスイッチ３０が「ＯＮ」の間に、一定の時間間隔で撮影、記録が行なわれる。このとき、一定の時間間隔毎に、その初めのタイミングで撮像が行なわれてフレームメモリ２０に対する画像情報の格納が実行され、その後のタイミングで記録装置２６による記録媒体に対する記録動作が行なわれる。
　【００１８】あるいはアナログスイッチ１８を１８Ａに接続して撮像部１０の出力が直接記録装置２６に送られて記録が行なわれる。次に、図３を参照しながら本発明の他の実施形態について説明する。上述した実施形態では、連写を行なう場合、フレームメモリ２０が有効に活用されず、いずれかの画像の記録動作が不完全であったとしても、次の画像の記録を行なわざるを得ない。この実施形態によれば、かかる不都合がなく、連写の場合でも良好に画像情報の記録を行なうことができる。
　【００１９】本実施形態では、フレームメモリ５０の記憶容量が記録装置２６内の記録媒体の記憶容量と等しくなるように構成されている。
　次に、本実施形態の動作について説明すると、単写、連写を問わず、図３（Ａ）の矢印ＦＥ１，ＦＥ２，ＦＥ３，…で示すように、一連の撮影による画像信号は制御回路５２の制御により順次フレームメモリ５０に格納される。
　【００２０】そして、フレームメモリ５０に格納された画像情報は、適当な撮影動作の区切り、例えば連写の終了時に再生されて記録装置２６内の記録媒体に同図（Ｂ）の矢印ＦＦで示すように記録される。この実施形態では、フレームメモリ５０が高価であるものの記録装置２６内の記録媒体と同様の作用を奏していると考えることができ、フレームメモリ５０が画像情報でいっぱいになったときに記録媒体例えば磁気ディスクを装置本体にセットして記録を行なうようにしてもよい。このとき、電子ビューファインダーでフレームメモリ５０内の画像を確認し、必要なもののみを記録媒体に記録するようにしてもよい。
　【００２１】勿論前記フレームメモリ５０の記憶容量は必ずしも記録装置２６内の記録媒体の記憶容量と等しくなく、多少少なくても良い。尚検出回路４０は前述に限定されるものでなく例えば加速度検出装置を用い、この出力が記録時に一定値以上になった場合は自動的に記録不成功の信号を出力するように構成しても良い。
　【００２２】
　【発明の効果】以上のように本発明によれば、電源スイッチのオン動作から指示手段による指示が行われるまでの期間は撮像手段から出力された画像信号を表示手段に表示させるので電源のオンに応じて画像信号をすばやく表示できるとともに、指示手段による指示に応じて切換手段の切り換え状態に基づく連写モードもしくは単写モードの撮影を行い撮像手段から出力された画像信号を半導体メモリへ記憶させた後に半導体メモリに記憶された画像信号を記録媒体に記録させるよう制御するので、確実な画像確認が可能となる。
【図面の簡単な説明】
　【図１】本発明の一実施形態を示す回路ブロック図である。
　【図２】実施形態の動作を説明する説明図である。
　【図３】実施形態の動作を説明する説明図である。
　【図４】他の実施形態を示す説明図である。
　【符号の説明】
　１０…撮像部
　１２…駆動回路
　１８…アナログスイッチ
　２０…フレームメモリ
　２４…信号処理回路
　２６…記録装置
　２８…制御回路
　４０…検出回路